【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
周辺装置が無線通信するための設定を、情報処理装置から設定する方法において、
情報処理装置と周辺装置との双方において、前記周辺装置の固有情報に基づいて無線通信用の一時的な第１の設定情報をそれぞれ設定する設定工程と、
設定された前記第１の設定情報を用いて、前記情報処理装置と前記周辺装置との間で無線ネットワークを形成する形成工程と、
形成された無線ネットワークを介して、前記情報処理装置に前記第１の設定情報が設定される前に設定されていた第２の設定情報を、前記情報処理装置から前記周辺装置に通知する通知工程と、
前記周辺装置において、前記第２の設定情報を受信し、前記第１の設定情報から該第２の設定情報へと切り替える切替工程と
を有することを特徴とする設定方法。
【請求項２】
請求項１において、
前記設定工程は、前記周辺装置の固有情報に基づいて、少なくとも無線通信用のＩＤ情報、暗号鍵、または、アドレス情報を算出する工程を含むことを特徴とする設定方法。
【請求項３】
請求項１において、
前記通知工程は、少なくとも無線通信用のＩＤ情報または暗号鍵を通知する工程が含まれることを特徴とする設定方法。
【請求項４】
請求項１において、
前記情報処理装置は、前記周辺装置のドライバソフトをインストールする際に入力された前記固有情報に基づいて、前記設定工程における設定処理を実行することを特徴とする設定方法。
【請求項５】
請求項４において、
前記設定工程における設定処理を実行する前に、前記情報処理装置において、前記情報処理装置にそれまで設定されていた前記第２の設定情報を前記情報処理装置のメモリに記憶する記憶工程をさらに含み、
前記通知工程における通知の前に、前記情報処理装置において、前記メモリから前記第２の設定情報を読み出す読出し工程がさらに含まれることを特徴とする設定方法。
【請求項６】
請求項５において、
前記切替工程には、前記情報処理装置において、前記第１の設定情報を、前記メモリに記憶されている前記第２の設定情報に戻す工程が含まれていることを特徴とする設定方法。
【請求項７】
請求項４において、
前記ドライバソフトのインストールの際に、前記固有情報が入力されない場合は、前記設定工程、前記通知工程、前記切替工程をスキップするように制御する工程を含むことを特徴とする設定方法。
【請求項８】
請求項１において、
前記周辺装置は、該周辺装置に無線装置が接続されたときに、または、前記周辺装置に前記無線装置が接続された後に初めて電源が投入されたときに、前記設定工程における設定処理を実行することを特徴とする設定方法。
【請求項９】
請求項１において、
前記切替工程における切替えの後に、前記第２の設定情報を、前記第１の設定情報に戻す工程を含むことを特徴とする設定方法。
【請求項１０】
無線装置を設定する方法において、
無線装置に接続する第１の機器の固有情報に基づいて、無線通信用の第１の設定情報を設定する設定工程と、
前記第１の機器の固有情報に基づいて前記第１の設定情報を設定した第２の機器との間で、前記設定工程において設定した前記第１の設定情報を用いて無線ネットワークを形成する形成工程と、
前記第２の機器に前記第１の設定情報が設定される前に設定されていた第２の設定情報を、前記形成工程において形成された無線ネットワークを介して、前記第２の機器から受信する受信工程と、
前記第１の設定情報を、前記受信工程において前記第２の機器から受信した前記第２の設定情報へ切替える切替工程と
を含むことを特徴とする設定方法。
【請求項１１】
第２の機器から第１の機器が無線通信するための無線パラメータを設定する方法において、
前記第１の機器のドライバソフトをインストールする際に入力された前記第１の機器の固有情報に基づいて、無線通信用の一時的な第１の設定情報を設定する設定工程と、
前記第１の機器の固有情報に基づいて前記第１の設定情報を設定した前記第１の機器との間で、前記設定工程において設定した前記第１の設定情報を用いて無線ネットワークを形成する形成工程と、
前記第２の機器に前記第１の設定情報が設定される前に設定されていた第２の設定情報を、前記形成工程において形成された無線ネットワークを介して、前記第１の機器に送信する送信工程と、
前記第１の設定情報を、前記送信工程において送信した前記第２の設定情報へ切替える切替工程と、
を含むことを特徴とする設定方法。
【請求項１２】
無線装置を接続または搭載する周辺装置であって、
前記周辺装置の固有情報に基づいて、無線通信用の一時的な第１の設定情報を設定する設定手段と、
前記周辺装置の固有情報に基づいて前記第１の設定情報を設定した情報処理装置との間で、前記設定手段により設定した前記第１の設定情報を用いて無線ネットワークを形成する形成手段と、
前記情報処理装置に前記第１の設定情報が設定される前に設定されていた第２の設定情報を、前記形成手段により形成した無線ネットワークを介して、前記情報処理装置から受信する受信手段と、
前記第１の設定情報を、前記受信手段により前記情報処理装置から受信した前記第２の設定情報へ切替える切替手段と、
を含むことを特徴とする周辺装置。
【請求項１３】
周辺装置に接続または搭載される無線装置を設定する情報処理装置であって、
前記周辺装置のドライバソフトをインストールする際に入力された前記周辺装置の固有情報に基づいて、無線通信用の一時的な第１の設定情報を設定する設定手段と、
前記周辺装置の固有情報に基づいて前記第１の設定情報を設定した前記周辺装置との間で、前記設定手段により設定した前記第１の設定情報を用いて無線ネットワークを形成する形成手段と、
前記情報処理装置に前記第１の設定情報が設定される前に設定されていた第２の設定情報を、前記形成手段により形成した無線ネットワークを介して、前記周辺装置に送信する送信手段と、
前記送信手段により送信した前記第２の設定情報へ、前記第１の設定情報を切替える切替手段と、
を含むことを特徴とする情報処理装置。
【請求項１４】
無線装置を接続または搭載する周辺装置と、前記周辺装置を利用する情報処理装置とを含む無線通信システムであって、
前記周辺装置は、
前記周辺装置の固有情報に基づいて、無線通信用の一時的な第１の設定情報を設定する第１の設定手段と、
前記周辺装置の固有情報に基づいて前記第１の設定情報を設定した情報処理装置との間で、前記第１の設定手段により設定した前記第１の設定情報を用いて無線ネットワークを形成する第１の形成手段と、
前記情報処理装置に前記第１の設定情報が設定される前に設定されていた第２の設定情報を、前記第１の形成手段により形成した無線ネットワークを介して、前記情報処理装置から受信する受信手段と、
前記第１の設定情報から、前記受信手段により前記情報処理装置から受信した前記第２の設定情報へ切替える切替手段と、
を含み、
前記情報処理装置は、
前記周辺装置の固有情報に基づいて、前記第１の設定情報を設定する第２の設定手段と、
前記第１の設定手段により前記第１の設定情報を設定した前記周辺装置との間で、前記第２の設定手段により設定した前記第１の設定情報を用いて無線ネットワークを形成する第２の形成手段と、
前記情報処理装置に前記第１の設定情報が設定される前に設定されていた第２の設定情報を、前記第２の形成手段により形成した無線ネットワークを介して、前記周辺装置に送信する送信手段と、
前記送信手段により送信した前記第２の設定情報へ、前記第１の設定情報から切替える切替手段と、
を含むことを特徴とする無線通信システム。
【請求項１５】
周辺装置のドライバイソフトを情報処理装置にインストールするコンピュータプログラムを記憶した記憶媒体であって、
前記コンピュータプログラムは、
前記周辺装置のドライバソフトをインストールする際に入力された前記周辺装置の固有情報に基づいて、無線通信用の一時的な第１の設定情報を設定する設定工程と、
前記周辺装置の固有情報に基づいて前記第１の設定情報を設定した前記周辺機器との間で、前記設定工程において設定した前記第１の設定情報を用いて無線ネットワークを形成する形成工程と、
前記情報処理装置に前記第１の設定情報が設定される前に設定されていた第２の設定情報を、前記形成工程において形成された無線ネットワークを介して、前記周辺装置に送信する送信工程と、
前記第１の設定情報から、前記送信工程において送信した前記第２の設定情報へと切替える切替工程と、
をコンピュータに実行させるプログラムであることを特徴とする記憶媒体。
【手続補正２】
【補正対象書類名】明細書
【補正対象項目名】００１６
【補正方法】変更
【補正の内容】
【００１６】
本発明は、プリンタのようにユーザインタフェースがプアな周辺装置においても、無線通信のための設定情報を容易に設定できるようにすることを目的とする。
【手続補正３】
【補正対象書類名】明細書
【補正対象項目名】００１７
【補正方法】変更
【補正の内容】
【００１７】
本発明は、周辺装置が無線通信するための設定を、情報処理装置から設定する方法において、情報処理装置と周辺装置との双方において、前記周辺装置の固有情報に基づいて無線通信用の一時的な第１の設定情報をそれぞれ設定する設定工程と、設定された前記第１の設定情報を用いて、前記情報処理装置と前記周辺装置との間で無線ネットワークを形成する形成工程と、形成された無線ネットワークを介して、前記情報処理装置に前記第１の設定情報が設定される前に設定されていた第２の設定情報を、前記情報処理装置から前記周辺装置に通知する通知工程と、前記周辺装置において、前記第２の設定情報を受信し、前記第１の設定情報から該第２の設定情報へと切り替える切替工程とを有することを特徴とする設定方法である。
【手続補正４】
【補正対象書類名】明細書
【補正対象項目名】００１８
【補正方法】変更
【補正の内容】
【００１８】
本発明は、無線装置を設定する方法において、無線装置に接続する第１の機器の固有情報に基づいて、無線通信用の第１の設定情報を設定する設定工程と、前記第１の機器の固有情報に基づいて前記第１の設定情報を設定した第２の機器との間で、前記設定工程において設定した前記第１の設定情報を用いて無線ネットワークを形成する形成工程と、前記第２の機器に前記第１の設定情報が設定される前に設定されていた第２の設定情報を、前記形成工程において形成された無線ネットワークを介して、前記第２の機器から受信する受信工程と、前記第１の設定情報を、前記受信工程において前記第２の機器から受信した前記第２の設定情報へ切替える切替工程とを含むことを特徴とする設定方法である。
【手続補正５】
【補正対象書類名】明細書
【補正対象項目名】００１９
【補正方法】変更
【補正の内容】
【００１９】
本発明は、第２の機器から第１の機器が無線通信するための無線パラメータを設定する方法において、前記第１の機器のドライバソフトをインストールする際に入力された前記第１の機器の固有情報に基づいて、無線通信用の一時的な第１の設定情報を設定する設定工程と、前記第１の機器の固有情報に基づいて前記第１の設定情報を設定した前記第１の機器との間で、前記設定工程において設定した前記第１の設定情報を用いて無線ネットワークを形成する形成工程と、前記第２の機器に前記第１の設定情報が設定される前に設定されていた第２の設定情報を、前記形成工程において形成された無線ネットワークを介して、前記第１の機器に送信する送信工程と、前記第１の設定情報を、前記送信工程において送信した前記第２の設定情報へ切替える切替工程とを含むことを特徴とする設定方法である。
【手続補正６】
【補正対象書類名】明細書
【補正対象項目名】００２０
【補正方法】変更
【補正の内容】
【００２０】
本発明は、無線装置を接続または搭載する周辺装置であって、前記周辺装置の固有情報に基づいて、無線通信用の一時的な第１の設定情報を設定する設定手段と、前記周辺装置の固有情報に基づいて前記第１の設定情報を設定した情報処理装置との間で、前記設定手段により設定した前記第１の設定情報を用いて無線ネットワークを形成する形成手段と、前記情報処理装置に前記第１の設定情報が設定される前に設定されていた第２の設定情報を、前記形成手段により形成した無線ネットワークを介して、前記情報処理装置から受信する受信手段と、前記第１の設定情報を、前記受信手段により前記情報処理装置から受信した前記第２の設定情報へ切替える切替手段とを含むことを特徴とする周辺装置である。
【手続補正７】
【補正対象書類名】明細書
【補正対象項目名】００２１
【補正方法】変更
【補正の内容】
【００２１】
本発明は、周辺装置に接続または搭載される無線装置を設定する情報処理装置であって、前記周辺装置のドライバソフトをインストールする際に入力された前記周辺装置の固有情報に基づいて、無線通信用の一時的な第１の設定情報を設定する設定手段と、前記周辺装置の固有情報に基づいて前記第１の設定情報を設定した前記周辺装置との間で、前記設定手段により設定した前記第１の設定情報を用いて無線ネットワークを形成する形成手段と、前記情報処理装置に前記第１の設定情報が設定される前に設定されていた第２の設定情報を、前記形成手段により形成した無線ネットワークを介して、前記周辺装置に送信する送信手段と、前記送信手段により送信した前記第２の設定情報へ、前記第１の設定情報を切替える切替手段とを含むことを特徴とする情報処理装置である。
【手続補正８】
【補正対象書類名】明細書
【補正対象項目名】００２２
【補正方法】変更
【補正の内容】
【００２２】
本発明は、無線装置を接続または搭載する周辺装置と、前記周辺装置を利用する情報処理装置とを含む無線通信システムであって、前記周辺装置は、前記周辺装置の固有情報に基づいて、無線通信用の一時的な第１の設定情報を設定する第１の設定手段と、前記周辺装置の固有情報に基づいて前記第１の設定情報を設定した情報処理装置との間で、前記第１の設定手段により設定した前記第１の設定情報を用いて無線ネットワークを形成する第１の形成手段と、前記情報処理装置に前記第１の設定情報が設定される前に設定されていた第２の設定情報を、前記第１の形成手段により形成した無線ネットワークを介して、前記情報処理装置から受信する受信手段と、前記第１の設定情報から、前記受信手段により前記情報処理装置から受信した前記第２の設定情報へ切替える切替手段とを含み、前記情報処理装置は、前記周辺装置の固有情報に基づいて、前記第１の設定情報を設定する第２の設定手段と、前記第１の設定手段により前記第１の設定情報を設定した前記周辺装置との間で、前記第２の設定手段により設定した前記第１の設定情報を用いて無線ネットワークを形成する第２の形成手段と、前記情報処理装置に前記第１の設定情報が設定される前に設定されていた第２の設定情報を、前記第２の形成手段により形成した無線ネットワークを介して、前記周辺装置に送信する送信手段と、前記送信手段により送信した前記第２の設定情報へ、前記第１の設定情報から切替える切替手段とを含むことを特徴とする無線通信システムである。
【手続補正９】
【補正対象書類名】明細書
【補正対象項目名】００２３
【補正方法】変更
【補正の内容】
【００２３】
本発明は、周辺装置のドライバイソフトを情報処理装置にインストールするコンピュータプログラムを記憶した記憶媒体であって、前記コンピュータプログラムは、前記周辺装置のドライバソフトをインストールする際に入力された前記周辺装置の固有情報に基づいて、無線通信用の一時的な第１の設定情報を設定する設定工程と、前記周辺装置の固有情報に基づいて前記第１の設定情報を設定した前記周辺機器との間で、前記設定工程において設定した前記第１の設定情報を用いて無線ネットワークを形成する形成工程と、前記情報処理装置に前記第１の設定情報が設定される前に設定されていた第２の設定情報を、前記形成工程において形成された無線ネットワークを介して、前記周辺装置に送信する送信工程と、前記第１の設定情報から、前記送信工程において送信した前記第２の設定情報へと切替える切替工程とをコンピュータに実行させるプログラムであることを特徴とする記憶媒体である。
【手続補正１０】
【補正対象書類名】明細書
【補正対象項目名】００２５
【補正方法】変更
【補正の内容】
【００２５】
また、本発明によれば、周辺装置の固有情報から求められた第１の設定情報を用いて無線ネットワークを形成するので、セキュリティの高い無線ネットワークを形成することができる。そして当該セキュリティの高い無線ネットワークを介して所望の無線通信に関する第２の設定情報を前記情報処理装置から前記周辺装置に送信することができるので、簡単かつセキュアに所望の設定情報を設定することができる。